(57)【要約】【課題】同一構造のデスク本体により様々なオフィスレイアウトに対応することを可能とする。【解決手段】コーナー支柱２と、一対のサイド支柱３，３と、一端が前記サイド支柱３，３に固定され他端が前記コーナー支柱２に枢支されて水平面内で角度可変に連結された枠体４，４とを備え、前記枠体４，４の角度を選定して天板を設けるようにしたことを特徴とする。【選択図】  図１
2004215946.tif 000002
【特許請求の範囲】
【請求項１】
コーナー支柱と、一対のサイド支柱と、一端が前記サイド支柱に固定され他端が前記コーナー支柱に枢支されて水平面内で角度可変に連結された枠体とを備え、前記枠体の角度を選定して天板を設けるようにしたデスク本体を有することを特徴とするデスク。
【請求項２】
コーナー支柱と、一対のサイド支柱と、一端が前記サイド支柱に固定され他端が前記コーナー支柱に枢支されて水平面内で角度可変に連結された枠体と、前記コーナー支柱に固定されたコーナー支持部材と、このコーナー支持部材と前記サイド支柱とにわたって懸け渡され前記枠体の角度選定とともに角度を可変とされた補助枠体とを備え、この補助枠体に天板を載置して支持するようにしたデスク本体を有することを特徴とするデスク。
【請求項３】
前記コーナー支持部材は、前記コーナー支柱に枢支される枠体の回動中心を中心とする円弧状の長孔を有し、前記枠体の角度変更時に前記補助枠体の一端を前記円弧状長孔にそって所定位置で固定し得るようになされている請求項２記載のデスク。
【請求項４】
前記コーナー支持部材は、前記コーナー支柱に枢支される枠体の回動中心を中心とする円弧線上に予定される枠体の角度に対応する支持孔を有し、前記枠体の角度変更時に前記補助枠体の一端を対応する前記支持孔に固定し得るようになされている請求項２記載のデスク。
【発明の詳細な説明】
【０００１】
【発明の属する技術分野】
本発明はコーナー型デスクに係り、特に多様なデスク配置に対応することを可能とするデスクに関する。
【０００２】
【従来の技術】
従来のデスクは、天板の形状に合わせて脚、幕板、補強材等の構成部材によりデスク本体を形成するようになされている。
【０００３】
すなわち天板の隣位のデスクと接合するコーナー部分が直角形状の場合、直角以外の所定の角度を有する場合にそれぞれその天板に即したデスク本体を製造するようになされている。
【０００４】
【発明が解決しようとする課題】
しかして従来のコーナー型デスクは、様々なデスク配置によるレイアウトに対応し得るようにするため、予め所定のコーナー角度を有するデスク本体をそれぞれ製造して提供されており、その結果、一旦デスク配置のレイアウトを定めると、後のレイアウトの変更に対応することができず、ワークスタイルの変化や人員の増加に対し対応することが難しいという問題があった。
【０００５】
またデスクの供給側（メーカー側）としても、様々なオフィスレイアウトに対応するため、多種類のコーナー型デスクを製造しあるいは在庫しておかなければならず、コスト的にも非常に非効率なものであった。
【０００６】
これらに対応し得るコーナー型デスクは未だ提供されてはいず、それを示す文献も見当らない。
【０００７】
本発明はこれに鑑み、同一構造のデスク本体により様々なデスク配置によるオフィスレイアウトに対応することができるようにしたデスクを提供することを課題としてなされたものである。
【０００８】
【課題を解決するための手段】
上記課題を解決する手段として本発明は、コーナー支柱と、一対のサイド支柱と、一端が前記サイド支柱に固定され他端が前記コーナー支柱に枢支されて水平面内で角度可変に連結された枠体とを備え、前記枠体の角度を選定して天板を設けるようにしたデスク本体を有することを特徴とする。
【０００９】
こうしたことにより、デスク配置のレイアウトに応じたコーナー角度を有する天板を用意すれば、そのコーナー角度に適合するよう枠体の角度を定めるだけで天板を取り付けることができ、そのコーナー角度用のデスクとすることができる。
【００１０】
上記デスクにおいて、前記コーナー支柱に固定されたコーナー支持部材と、このコーナー支持部材と前記サイド支柱とにわたって懸け渡され前記枠体の角度選定とともに角度を可変とされた補助枠体とを付設することにより、天板を補助枠体に載置固定することができ、組み立てを容易とすると同時に枠体の内のり内に天板を納めることができるので、枠体と天板との間に通線用の間隙を作ることができる。
【００１１】
前記コーナー支持部材は、前記コーナー支柱に枢支される枠体の回動中心を中心とする円弧状の長孔を設け、前記枠体の角度変更時に前記補助枠体の一端を前記円弧状長孔にそって所定位置で固定し得るようにする態様、または前記コーナー支柱に枢支される枠体の回動中心を中心とする円弧線上に予定される枠体の角度に対応する支持孔を設け、前記枠体の角度変更時に前記補助枠体の一端を対応する前記支持孔に固定し得るようにする態様を含む。
【００１２】
【発明の実施の形態】
以下、本発明を図面に示す実施の形態を参照して説明する。
【００１３】
図１，図２は本発明によるデスクの一実施形態を分解して示すもので、そのデスク本体１の構成部材としては、コーナー支柱２と、一対のサイド支柱３、３と、一端が前記サイド支柱３，３に固着され他端が前記コーナー支柱２に水平面内で角度可変に枢支された枠体４，４と、天板５を固定するため一端が前記サイド支柱３，３の前記枠体固定位置より若干離間した位置に設けられた支持部６，６に固着され他端が前記コーナー支柱２に固定されたコーナー支持部材７に位置可変に取り付けられた一対の補助枠体８，８とを備えている。
【００１４】
前記コーナー支持部材７は図３に拡大して示すように平面視四分円状を有し、その基部７ａがコーナー支柱２の上端にビス等により固着されるもので、このコーナー支持部材７の円弧状縁には前記枠体４，４の回動中心を中心とする２つの円弧状孔９，９が形成され、この円弧状孔９，９に止ネジ１０，１０を介して前記補助枠体８，８の端部の位置を選択して軸止めするようになっている。
【００１５】
図３は、コーナー支柱２に対する枠体４，４の枢支構造例を示す分解図、図４（Ａ）、（Ｂ）は同組み立て後の側面図および平面図を示すもので、コーナー支柱２の背部に固着される軸受１１と、一方の枠体４の端部下方位置に設けられた軸受１２と、この軸受１２上におかれる円筒状のスペーサ１３と、他方の枠体４の端部上方位置に設けられた軸受１４と、この軸受１４上におかれる平面視「８」の字形の押え部材１５とを有し、前記押え部材１５の一方の孔１５ａ、軸受１４、スペーサ１３、軸受１２、１１に挿通する枢軸となるボルト１６により組み付けられ、前記押え部材１５の他方の孔１５ｂに挿通するボルト１７が前記コーナー支持部材７の基部７ａのネジ孔７ｂに螺挿されて固定される。
【００１６】
図１、図２におけるデスクの天板５はコーナー用のもので、そのコーナー部５ａの外端は直角とされた平面視略Ｌ形状をなし、その内側の内隅部５ｂは半円形状に抉られており、この内隅部５ｂから左右に延びるテーブル面５ｃ，５ｃが執務用として使用されるようになっている。
【００１７】
そしてこの天板５は前記補助枠体８，８の上面に載置されて該補助枠体８，８にビス止めされ、その際に天板５の外側端縁５ｄ，５ｄと枠体４，４の内側面との間に通線用の間隙１８（図５〜図７参照）が形成される寸法とされている。
【００１８】
図５〜図７は天板５の平面形状の形状例、およびそれに伴うデスクの配置例を示す平面図であり、図８〜図１０は上記図５〜図７に対応するデスク構造とする場合の平面図を示している。
【００１９】
図５は図１、図２のデスク形態とした場合の配置例を示し、各デスクのコーナー部は９０°であり、天板５の内隅部５ｂを片側で同じ向きとして３台ずつのデスクを配置した場合である。
【００２０】
このような天板形状のデスクとする場合には、図８に示すように補助枠体８，８間の内角が直角をなすようにコーナー支持部材７の円弧状孔９，９の一端位置において軸止めすることにより達成される。
【００２１】
図６は天板５のコーナー部５ａが１２０°のデスク形態とした場合の配置例を示すもので、同一形状とされた３台のデスクのコーナー部５ａ，５ａ，５ａを１箇所に集約したものを２組連設配置した場合である。
【００２２】
このような天板形状のデスクとする場合には、図９に示すように補助枠体８，８間の内角が１２０°をなすよう拡開させた状態で補助枠体８，８の端部をコーナー支持部材７の円弧状孔９，９の中間位置において軸止めすることにより達成される。
【００２３】
図７は天板５のコーナー部５ａが１３５°のデスク形態とした場合の配置例を示すもので、このデスクの一辺を向き合わせて置いたとき両者の他辺間が９０°になるので、この部分に他のデスクの端部を嵌め込むことにより隙間なく配置される。
【００２４】
このような天板形状のデスクとする場合は、図１０に示すように補助枠体８，８間の内角が１３５°をなすよう拡開させた状態で補助枠体８，８の端部をコーナー支持部材７の円弧状孔９，９の外端位置において軸止めすることにより達成される。
【００２５】
図１１は上記各変態時における補助枠体８，８と枠体４，４との位置関係、および補助枠体８，８の端部の円弧状孔９，９に対する位置関係を比較するためまとめて示している。
【００２６】
図１２はコーナー支持部材７に対する補助枠体８，８の変位時の固定を円弧状孔９，９によらず、予め予定される天板のコーナー部５ａの角度に対応する位置に支持孔１９，１９，１９を穿設しておき、この支持孔を使用して補助枠体８，８の端部を軸止めするようにした場合を示している。
【００２７】
図１３は対面者との間に目隠し用の衝立２０を立てるようにする場合の一例を示すもので、前記枠体４，４と同じ長さを有する衝立２０，２０の一端同士を軸２１により枢支して角度可変に形成し、この衝立２０，２０の端部の支持孔２２，２２，２２と枠体４，４の端部の支持孔２３，２３，２３とにボルト２１，２４，２４を挿通して枠体４，４側にネジ込むようにすることで随時衝立２０，２０を立てるようにすることができる。
【００２８】
図示の実施形態では、補助枠体８，８に天板５を支持させるようにしたことにより、図５〜図７のようなデスク配置とした場合であっても各デスクの天板間に通線用の間隙１８を設けることができるので、天板５に通線孔を開設することなくデスク上のＯＡ機器類へのケーブルの引き出しができるので好ましいが、その必要がないデスクとする場合には天板５を枠体４，４に直接支持する構造としてもよい。
【００２９】
【発明の効果】
以上説明したように本発明によれば、オフィスのレイアウトに対応するデスクを天板のみ変えるだけでデスク本体部分は共通仕様とすることができるので、デスク本体の製造の種類の削減、在庫数の削減を図ることができ、これによりコストの大幅な低減を図ることができる。
【００３０】
また一旦設置したデスクのレイアウトを変更する場合でも、デスク天板のみを変更するだけでよいからユーザーに与える負担も少なくてすみ、デスク本体を末永く使用することができ、大きな経済的効果を得ることができる。
【００３１】
請求項２のように、天板を補助枠体に支持する構成とすれば、隣接するデスク天板間に通線用間隙を設けることができ、天板に通線孔を開孔させる必要がなく、天板の上面を執務用としてフルに使用することができる。
【図面の簡単な説明】
【図１】本発明によるデスクをそのコーナー部が９０°とする場合の一実施形態を示す分解斜視図。
【図２】同、デスク本体の補助枠体を取り外した状態を示す斜視図。
【図３】同、デスク本体のコーナー支柱への枠体の枢支構造例を示す分解斜視図。
【図４】（Ａ）は枢支構造の組み付けた状態を示す側面図、（Ｂ）は同コーナー支持部材を除去した平面図。
【図５】本発明によるデスクのコーナー部が９０°である場合の配置例を示す平面図。
【図６】同、１２０°である場合の配置例を示す平面図。
【図７】同、１３５°である場合の配置例を示す平面図。
【図８】コーナー部を９０°とした場合のデスク本体の平面図。
【図９】同、１２０°とした場合のデスク本体の平面図。
【図１０】同、１３５°とした場合のデスク本体の平面図。
【図１１】補助枠体の変位位置をまとめて示す説明図。
【図１２】補助枠体の端部とコーナー支持部材との取り付け手段の他の例を示す平面図。
【図１３】デスクに衝立を立てる場合の一例を示す分解斜視図。
【符号の説明】
１  デスク本体
２  コーナー支柱
３  サイド支柱
４  枠体
５  天板
５ａ  コーナー部
７  コーナー支持部材
８  補助枠体
９  円弧状孔
１８  通線用間隙
２０  衝立
【図１】
2004215946.tif 000003
【図２】
2004215946.tif 000004
【図３】
2004215946.tif 000005
【図４】
2004215946.tif 000006
【図５】
2004215946.tif 000007
【図６】
2004215946.tif 000008
【図７】
2004215946.tif 000009
【図８】
2004215946.tif 000010
【図９】
2004215946.tif 000011
【図１０】
2004215946.tif 000012
【図１１】
2004215946.tif 000013
【図１２】
2004215946.tif 000014
【図１３】
2004215946.tif 000015